(57)【要約】【課題】音声出力に関して、デジタル放送視聴時の機能を向上させることを可能とする。【解決手段】デジタル放送受信装置１０は、チューナ１０８と、スピーカ１１２とが一体化されており、更には、モニタ３０を接続するための外部接続端子１１６を備えている。デジタル放送受信装置１０は、緊急放送を受信した場合には、スピーカ１１２の音量を増加させる。また、デジタル放送受信装置１０は、ステレオ放送を受信した場合には、スピーカ１１２に右側音声及び左側音声の一方を出力させ、モニタ３０の内蔵スピーカに右側音声及び左側音声の他方を出力させる。【選択図】図１
2011130060.tif 000002
【特許請求の範囲】
【請求項１】
デジタル放送信号を受信する受信部と、
前記受信部と一体化され、前記受信部により受信されたデジタル放送信号に対応する音声を出力するスピーカと、
外部の表示装置を接続するための外部接続端子と
を備えるデジタル放送受信装置。
【請求項２】
前記デジタル放送信号に対応する緊急放送を検出する検出部を備える請求項１に記載のデジタル放送受信装置。
【請求項３】
前記検出部により前記緊急放送が検出された場合に、前記スピーカから出力される音声の音量を増加させる第１の音声制御部を備える請求項２に記載のデジタル放送受信装置。
【請求項４】
前記第１の音声制御部は、前記検出部により前記緊急放送が検出された場合に、前記スピーカからの音声出力が禁止された状態であっても、前記スピーカから音声を出力させる請求項３に記載のデジタル放送受信装置。
【請求項５】
前記検出部及び前記第１の音声制御部は、前記表示装置が起動しているか否かにかかわらず起動している請求項３又は４に記載のデジタル放送受信装置。
【請求項６】
更にバッテリを備える請求項１乃至５の何れかに記載のデジタル放送受信装置。
【請求項７】
前記スピーカは、複数備えられる請求項１乃至６の何れかに記載のデジタル放送受信装置。
【請求項８】
前記外部接続端子は、映像信号出力用の端子であり、
前記スピーカの何れかに右側音声を出力させ、前記スピーカの他の何れかに左側音声を出力させる第２の音声制御部を備える請求項７に記載のデジタル放送受信装置。
【請求項９】
前記スピーカに右側音声及び左側音声の一方を出力させ、前記外部接続端子を介して前記表示装置へ出力する第３の音声制御部を備える請求項１乃至８の何れかに記載のデジタル放送受信装置。
【請求項１０】
リモートコントローラからの操作信号を受け付ける受付部を備える請求項１乃至９の何れかに記載のデジタル放送受信装置。
【発明の詳細な説明】
【技術分野】
【０００１】
本発明は、デジタル放送を受信するデジタル放送受信装置に関する。
【背景技術】
【０００２】
近年、デジタル放送の開始に伴い、当該デジタル放送を受信するデジタル放送受信装置が急速に普及している。このようなデジタル放送受信装置は、デジタル放送信号を受信し、映像信号や音声信号を外部接続されたモニタ等へ出力する。これにより、利用者は、デジタル放送を視聴することができる（例えば、特許文献１参照）。
【先行技術文献】
【特許文献】
【０００３】
【特許文献１】特開２００９−３８５６３号公報
【発明の概要】
【発明が解決しようとする課題】
【０００４】
しかしながら、従来のデジタル放送受信装置では、緊急放送を受信した場合、モニタの電源がオフであると、当該モニタから緊急放送の音声を出力させることができない。また、モニタがステレオ放送対応でない場合には、デジタル放送がステレオ放送であるにもかかわらず、モニタから出力される音声はモノラル音声になってしまう。このため、デジタル放送受信装置には、単にデジタル放送信号を受信し、映像信号や音声信号をモニタに出力するだけでなく、デジタル放送視聴時の機能を向上させることが要求されている。
【０００５】
そこで、本発明は、音声出力に関して、デジタル放送視聴時の機能を向上させることが可能なデジタル放送受信装置を提供することを目的とする。
【課題を解決するための手段】
【０００６】
上述した課題を解決するために、本発明は以下のような特徴を有している。まず、本発明の第１の特徴は、デジタル放送受信装置（デジタル放送受信装置１０）であって、デジタル放送信号を受信する受信部（チューナ１０８）と、前記受信部と一体化され、前記受信部により受信されたデジタル放送信号に対応する音声を出力するスピーカ（スピーカ１１２、１１３）と、外部の表示装置（モニタ３０）を接続するための外部接続端子（外部接続端子１１６）とを備えることを要旨とする。
【０００７】
このようなデジタル放送受信装置によれば、チューナとスピーカとが一体化されており、外部接続端子によって外部の表示装置に接続される。従って、デジタル放送受信装置内のスピーカを利用して、音声出力に関して、デジタル放送視聴時の機能を向上させることが可能となる。
【０００８】
本発明の第２の特徴は、前記デジタル放送信号に対応する緊急放送を検出する検出部（検出部１２４）を備えることを要旨とする。
【０００９】
本発明の第３の特徴は、前記検出部により前記緊急放送が検出された場合に、前記スピーカから出力される音声の音量を増加させる第１の音声制御部（音声制御部１２２）を備えることを要旨とする。
【００１０】
本発明の第４の特徴は、前記第１の音声制御部は、前記検出部により前記緊急放送が検出された場合に、前記スピーカからの音声出力が禁止された状態であっても、前記スピーカから音声を出力させることを要旨とする。
【００１１】
本発明の第５の特徴は、前記検出部及び前記第１の音声制御部は、前記表示装置が起動しているか否かにかかわらず起動していることを要旨とする。
【００１２】
本発明の第６の特徴は、更にバッテリを備えることを要旨とする。
【００１３】
本発明の第７の特徴は、前記スピーカは、複数備えられることを要旨とする。
【００１４】
本発明の第８の特徴は、前記外部接続端子は、映像信号出力用の端子であり、前記スピーカの何れかに右側音声を出力させ、前記スピーカの他の何れかに左側音声を出力させる第２の音声制御部（音声制御部１２２）を備えることを要旨とする。
【００１５】
本発明の第９の特徴は、前記スピーカに右側音声及び左側音声の一方を出力させ、前記外部接続端子を介して前記表示装置へ出力する第３の音声制御部（音声制御部１２２）を備えることを要旨とする。
【００１６】
本発明の第１０の特徴は、リモートコントローラからの操作信号を受け付ける受付部（リモコン受光部１１８）を備えることを要旨とする。
【発明の効果】
【００１７】
本発明によれば、音声出力に関して、デジタル放送視聴時の機能を向上させることが可能となる。
【図面の簡単な説明】
【００１８】
【図１】本発明の第１実施形態に係るデジタル放送受信装置の構成図である。
【図２】本発明の第１実施形態に係る緊急放送時のデジタル放送受信装置の動作を示すフローチャートである。
【図３】本発明の第１実施形態に係るステレオ放送対応時のデジタル放送受信装置の動作を示すフローチャートである。
【図４】本発明の第２実施形態に係るデジタル放送受信装置の構成図である。
【図５】本発明の第２実施形態に係るステレオ放送対応時のデジタル放送受信装置の動作を示すフローチャートである。
【発明を実施するための形態】
【００１９】
（第１実施形態）
次に、図面を参照して、本発明の第１実施形態を説明する。具体的には、（１）デジタル放送受信装置の構成、（２）デジタル放送受信装置の動作、（３）作用・効果について説明する。
【００２０】
（１）デジタル放送受信装置の構成
図１は、本発明の第１実施形態に係るデジタル放送受信装置の構成図である。
【００２１】
図１に示すデジタル放送受信装置１０は、デジタル放送を受信するものである。ここで、デジタル放送は、地上デジタル放送、ＢＳデジタル放送、ＣＳデジタル放送等、特に限定されない。
【００２２】
デジタル放送受信装置１０は、制御部１０２、アンテナ１０４、チューナ１０８、スピーカ１１２、メモリ１１４、ＲＯＭ１１５、外部接続端子１１６及びリモコン受光部１１８とを含む。このデジタル放送受信装置１０は、外部接続端子１１６を介してモニタ３０を接続する。また、図１において、モニタ３０には、図示しないスピーカ（内蔵スピーカ）が設けられている。
【００２３】
制御部１０２は、例えばＣＰＵによって構成され、デジタル放送受信装置１０が具備する各種機能を制御する。アンテナ１０４は、デジタル放送信号を受信する。このデジタル放送信号には、音声データと、動画データと、チャンネル番号、放送局名、番組表等の各種制御データとが含まれている。
【００２４】
チューナ１０８は、ＲＦ部１１０及びＯＦＤＭ復調部１１１を含み、アンテナ１０４によって受信されたデジタル放送信号の復調を行う。更に、チューナ１０８は、復調によって得られた所定のチャンネルの信号を制御部１０２へ出力する。
【００２５】
制御部１０２は、圧縮情報復号部１２１、音声制御部１２２、映像制御部１２３及び検出部１２４を含む。
【００２６】
圧縮情報復号部１２１は、チューナ１０８からの所定のチャンネルの信号を復号し、ＭＰＥＧデータとしての音声データ及び動画データと、制御データとを得る。ステレオ放送の場合、音声データは、２つの音声データである右側音声データと左側音声データとにより構成される。
【００２７】
音声制御部１２２は、必要に応じて、取得した音声データに対応するアナログの音声信号を、スピーカ１１２へ出力するとともに、外部接続端子１１６を介してモニタ３０へ出力する。これにより、スピーカ１１２やモニタ３０の内蔵スピーカは、デジタル放送の音声を出力することが可能となる。
【００２８】
映像制御部１２３は、取得した映像データに対応する映像信号を、外部接続端子１１６を介してモニタ３０へ出力する。これにより、モニタ３０は、デジタル放送の映像を出力することが可能となる。
【００２９】
メモリ１１４は、例えば、ＤＤＲ−ＳＲＡＭであり、デジタル放送受信装置１０が具備する各種機能を実現するために必要な情報を記憶している。ＲＯＭ１１５は、例えば、フラッシュロムであり、地域設定の情報等を記憶する。
【００３０】
リモコン受光部１１８は、外部のリモートコントローラ２０からの操作指示に対応する赤外線を受信し、操作指示を制御部１０２へ出力する。制御部１０２は、入力した操作指示に応じてチューナ１０８が受信するデジタル放送のチャンネルを切り替える等の処理を行う。
【００３１】
バッテリ１２０は、停電時等、外部からの電力がデジタル放送受信装置１０に供給されない場合に、デジタル放送受信装置１０の各部へ電力を供給し、当該デジタル放送受信装置１０を起動可能とする。これにより、デジタル放送受信装置１０は、停電時等にモニタ３０が起動していない場合であっても、単独で起動することができる。
【００３２】
図１に示すデジタル放送受信装置１０は、災害が発生した場合等において緊急放送が放送される場合に、スピーカ１１２から当該緊急放送の音声を出力する。具体的には、以下の処理が行われる。
【００３３】
制御部１０２内の検出部１２４は、随時、デジタル放送信号の復号によって得られた制御データに、対応するデジタル放送が緊急放送であることを示す情報（緊急放送フラグ）が含まれているか否か、換言すれば、対応するデジタル放送が緊急放送であるか否かを判定する。制御データに緊急放送フラグが含まれている場合には、検出部１２４は、対応するデジタル放送が緊急放送であると判定する。
【００３４】
検出部１２４によって、対応するデジタル放送が緊急放送であると判定された場合、換言すれば、緊急放送が検出された場合、音声制御部１２２は、スピーカ１１２から出力される音声の音量を増加させる制御を行う。例えば、音声制御部１２２は、現在の音量が所定値以下である場合、当該音量を所定値まで増加させる制御を行う。また、音声制御部１２２は、スピーカ１１２からの音声出力が禁止された状態であっても、スピーカ１１２から音声を出力させる制御を行う。これにより、スピーカ１１２は、それまでよりも増加した音量で、緊急放送の音声を出力することができる。
【００３５】
また、図１に示すデジタル放送受信装置１０は、ステレオ放送に対応する処理を行う。具体的には、以下の処理が行われる。
【００３６】
音声制御部１２２は、随時、デジタル放送信号の復号によって得られた音声データが右側音声データと左側音声データとにより構成されているか否か、換言すれば、音声データに対応するデジタル放送がステレオ放送であるか否かを判定する。
【００３７】
音声データに対応するデジタル放送がステレオ放送である場合、音声制御部１２２は、右側音声データに対応するアナログの音声信号及び左側音声データに対応するアナログの音声信号の一方を、スピーカ１１２に出力し、右側音声データに対応するアナログの音声信号及び左側音声データに対応するアナログの音声信号の他方を、外部接続端子１１６を介してモニタ３０に出力する。これにより、スピーカ１１２は、右側音声及び左側音声の一方を出力し、モニタ３０の内蔵スピーカは、右側音声及び左側音声の他方を出力することができる。
【００３８】
なお、利用者は、リモートコントローラ２０により、右側音声をスピーカ１１２及びモニタ３０の内蔵スピーカの何れに出力させるか、及び、右側音声をスピーカ１１２及びモニタ３０の内蔵スピーカの何れに出力させるかを決定する操作を行うことができる。この場合、音声制御部１２２は、当該操作に対応する操作指示に応じて、右側音声及び左側音声の出力先を決定する。これにより、利用者は、スピーカ１１２及びモニタ３０の配置によって、右側音声及び左側音声の適切な出力先を決定することができる。
【００３９】
一方、音声データに対応するデジタル放送がモノラル放送である場合、音声制御部１２２は、音声データに対応するアナログの音声信号を、スピーカ１１２に出力、又は、外部接続端子１１６を介してモニタ３０に出力する。これにより、スピーカ１１２又はモニタ３０の内蔵スピーカは、モノラル音声を出力することができる。
【００４０】
なお、音声データに対応するデジタル放送がステレオ放送であっても、利用者の操作指示等に応じて、音声制御部１２２は、モノラル音声出力の処理を行ってもよい。具体的には、音声制御部１２２は、右側音声データに対応するアナログの音声信号と、左側音声データに対応するアナログの音声信号とを混合し、スピーカ１１２に出力、又は、外部接続端子１１６を介してモニタ３０に出力する。これにより、スピーカ１１２又はモニタ３０の内蔵スピーカは、モノラル音声を出力することができる。
【００４１】
（２）デジタル放送受信装置の動作
図２は、第１実施形態における緊急放送時のデジタル放送受信装置１０の動作を示すフローチャートである。
【００４２】
ステップＳ１０１において、チューナ１０８は、所定チャンネルのデジタル放送信号を受信する。
【００４３】
ステップＳ１０２において、制御部１０２内の検出部１２４は、デジタル放送信号に対応するデジタル放送が緊急放送であるか否かを判定する。
【００４４】
デジタル放送が緊急放送である場合には、ステップＳ１０１におけるデジタル放送信号の受信以降の動作が繰り返される。
【００４５】
一方、デジタル放送が緊急放送でない場合には、ステップＳ１０３において、制御部１０２内の音声制御部１２２は、スピーカ１１２から出力される音声の音量を増加させる制御を行う。
【００４６】
図３は、第１実施形態におけるステレオ放送対応時のデジタル放送受信装置１０の動作を示すフローチャートである。
【００４７】
ステップＳ２０１において、チューナ１０８は、所定チャンネルのデジタル放送信号を受信する。
【００４８】
ステップＳ２０２において、制御部１０２内の音声制御部１２２は、デジタル放送信号に対応するデジタル放送がステレオ放送であるか否かを判定する。
【００４９】
デジタル放送がステレオ放送である場合、ステップＳ２０３において、制御部１０２内の音声制御部１２２は、右側音声データに対応するアナログの音声信号をスピーカ１１２へ出力する。これにより、スピーカ１１２は、右側音声を出力する。更に、ステップＳ２０４において、制御部１０２内の音声制御部１２２は、左側音声データに対応するアナログの音声信号をモニタ３０へ出力する。これにより、モニタ３０の内蔵スピーカは、左側音声を出力する。
【００５０】
一方、ステップＳ２０２において、デジタル放送がステレオ放送でないと判定された場合、ステップＳ２０５において、制御部１０２内の音声制御部１２２は、モノラル音声出力の処理を行う。
【００５１】
（３）作用・効果
上述したように、デジタル放送受信装置１０は、チューナ１０８と、スピーカ１１２とが一体化されており、更には、モニタ３０を接続するための外部接続端子１１６を備えている。従って、デジタル放送受信装置１０内のスピーカ１１２を利用して、音声出力に関して、デジタル放送視聴時の機能を向上させることが可能となる。
【００５２】
具体的には、デジタル放送受信装置１０は、緊急放送を受信した場合には、スピーカ１１２の音量を増加させる。従って、モニタ３０の電源がオフであり、当該モニタ３０から緊急放送の音声や映像が出力されない場合であっても、少なくとも緊急放送の音声については出力することが可能であり、利用者は、当該緊急放送が放送されていること、及び、当該緊急放送の内容を把握することができる。更には、デジタル放送受信装置１０には、バッテリ１２０が内蔵されているため、停電等が発生し、モニタ３０が起動しない場合であっても、起動可能であり、緊急放送の音声を出力することができる。
【００５３】
また、デジタル放送受信装置１０は、ステレオ放送を受信した場合には、スピーカ１１２に右側音声及び左側音声の一方を出力させ、モニタ３０の内蔵スピーカに右側音声及び左側音声の他方を出力させることができる。従って、モニタ３０の内蔵スピーカが１つであり、モニタ３０のみではステレオ放送に対応できない場合であっても、当該内蔵スピーカとデジタル放送受信装置１０内のスピーカ１１２とによってステレオ放送に対応可能となる。
【００５４】
（第２実施形態）
次に、図面を参照して、本発明の第２実施形態を説明する。具体的には、（１）デジタル放送受信装置の構成、（２）デジタル放送受信装置の動作、（３）作用・効果について説明する。なお、第２実施形態における図面の記載において、第１実施形態と同一又は類似の部分には同一又は類似の符号を付している。
【００５５】
（１）デジタル放送受信装置の構成
図４は、本発明の第２実施形態に係るデジタル放送受信装置の構成図である。
【００５６】
図４に示すデジタル放送受信装置１０は、図１に示すデジタル放送受信装置１０と比較すると、新たにスピーカ１１３が設けられている。なお、以下においては、スピーカ１１２を第１スピーカ１１２と称し、スピーカ１１３を第２スピーカ１１３と称する。他の構成については、図１に示すデジタル放送受信装置１０と同様であるので、その説明は省略する。また、図４において、モニタ３０には、スピーカは設けられていてもよいが、ステレオ放送においては使用不可となる。
【００５７】
制御部１０２内の圧縮情報復号部１２１は、チューナ１０８からの所定のチャンネルの信号を復号し、ＭＰＥＧデータとしての音声データ及び動画データと、制御データとを得る。ステレオ放送の場合、音声データは、２つの音声データである右側音声データと左側音声データとにより構成される。
【００５８】
更に、音声制御部１２２は、取得した音声データに対応するアナログの音声信号を、第１スピーカ１１２及び第２スピーカ１１３へ出力する。これにより、第１スピーカ１１２や第２スピーカ１１３は、デジタル放送の音声を出力することが可能となる。
【００５９】
映像制御部１２３は、取得した映像データに対応する映像信号を、外部接続端子１１６を介してモニタ３０へ出力する。これにより、モニタ３０は、デジタル放送の映像を出力することが可能となる。
【００６０】
図４に示すデジタル放送受信装置１０は、ステレオ放送に対応する処理を行う。具体的には、以下の処理が行われる。
【００６１】
音声制御部１２２は、随時、デジタル放送信号の復号によって得られた音声データが右側音声データと左側音声データとにより構成されているか否か、換言すれば、音声データに対応するデジタル放送がステレオ放送であるか否かを判定する。
【００６２】
音声データに対応するデジタル放送がステレオ放送である場合、音声制御部１２２は、デジタル放送受信装置１０内に２つのスピーカが設置されているか否かを判定する。ここでは、デジタル放送受信装置１０には、第１スピーカ１１２及び第２スピーカ１１３が設置されているため、音声制御部１２２は、デジタル放送受信装置１０内に２つのスピーカが設置されていると判定する。
【００６３】
第１スピーカ１１２及び第２スピーカ１１３が設置されていることに対応して、音声制御部１２２は、モニタ３０の内蔵スピーカを使用不可とする。例えば、音声制御部１２２は、外部接続端子１１６をアナログの音声信号の出力先から除外する。
【００６４】
更に、音声制御部１２２は、右側音声データに対応するアナログの音声信号及び左側音声データに対応するアナログの音声信号の一方を、第１スピーカ１１２に出力し、右側音声データに対応するアナログの音声信号及び左側音声データに対応するアナログの音声信号の他方を、第２スピーカ１１３に出力する。これにより、第１スピーカ１１２は、右側音声及び左側音声の一方を出力し、第２スピーカ１１３は、右側音声及び左側音声の他方を出力することができる。
【００６５】
なお、利用者は、リモートコントローラ２０により、右側音声を第１スピーカ１１２及び第２スピーカ１１３の何れに出力させるか、及び、右側音声を第１スピーカ１１２及び第２スピーカ１１３の何れに出力させるかを決定する操作を行うことができる。この場合、音声制御部１２２は、当該操作に対応する操作指示に応じて、右側音声及び左側音声の出力先を決定する。これにより、利用者は、第１スピーカ１１２及び第２スピーカ１１３の配置によって、右側音声及び左側音声の適切な出力先を決定することができる。
【００６６】
（２）デジタル放送受信装置の動作
図５は、第２実施形態におけるステレオ放送対応時のデジタル放送受信装置１０の動作を示すフローチャートである。
【００６７】
ステップＳ３０１において、チューナ１０８は、所定チャンネルのデジタル放送信号を受信する。
【００６８】
ステップＳ３０２において、制御部１０２内の音声制御部１２２は、デジタル放送信号に対応するデジタル放送がステレオ放送であるか否かを判定する。
【００６９】
デジタル放送がステレオ放送である場合、ステップＳ３０３において、制御部１０２内の音声制御部１２２は、デジタル放送受信装置１０内に２つのスピーカが設置されているか否かを判定する。ここでは、デジタル放送受信装置１０内には、第１スピーカ１１２及び第２スピーカ１１３が設置されている。この場合、ステップＳ３０４において、音声制御部１２２は、モニタ３０の内蔵スピーカを使用不可とする。次に、ステップＳ３０５において、制御部１０２内の音声制御部１２２は、右側音声データに対応するアナログの音声信号を第１スピーカ１１２へ出力する。これにより、第１スピーカ１１２は、右側音声を出力する。更に、ステップＳ３０６において、制御部１０２内の音声制御部１２２は、左側音声データに対応するアナログの音声信号を第２スピーカ１１３へ出力する。これにより、第２スピーカ１１３は、左側音声を出力する。
【００７０】
一方、ステップＳ３０２において、デジタル放送がステレオ放送でないと判定された場合、あるいは、ステップＳ３０３において、デジタル放送受信装置１０内に２つのスピーカが設置されていないと判定された場合、ステップＳ３０７において、制御部１０２内の音声制御部１２２は、モノラル音声出力の処理を行う。
【００７１】
（３）作用・効果
上述したように、デジタル放送受信装置１０は、チューナ１０８と、スピーカ１１２とが一体化されており、更には、モニタ３０を接続するための外部接続端子１１６を備えている。従って、デジタル放送受信装置１０内のスピーカ１１２を利用して、音声出力に関して、デジタル放送視聴時の機能を向上させることが可能となる。
【００７２】
具体的には、ステレオ放送を受信した場合には、第１スピーカ１１２に右側音声及び左側音声の一方を出力させ、第２スピーカ１１３に右側音声及び左側音声の他方を出力させることができる。従って、モニタ３０にスピーカが設けられておらず、モニタ３０のみではステレオ放送に対応できない場合であっても、第１スピーカ１１２及び第２スピーカ１１３によってステレオ放送に対応可能となる。
【００７３】
（その他の実施形態）
本発明は実施形態によって記載したが、この開示の一部をなす論述及び図面はこの発明を限定するものであると理解すべきではない。この開示から当業者には様々な代替実施形態、実施例及び運用技術が明らかとなる。
【００７４】
上述した実施形態では、デジタル放送受信装置１０が、１つのスピーカ１１２を備える場合と、２つのスピーカ１１２及び１１３を備える場合とについて説明したが、３つ以上のスピーカを備える場合にも同様に本発明を適用することができる。例えば、デジタル放送受信装置１０が６つ以上のスピーカを備える場合には、所謂５．１チャンネルサラウンドのデジタル放送にも対応可能となる。
【００７５】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７６】
本発明のデジタル放送受信装置は、音声出力に関して、デジタル放送視聴時の機能を向上させることができ、デジタル放送受信装置として有用である。
【符号の説明】
【００７７】
１０…デジタル放送受信装置、２０…リモートコントローラ、３０…モニタ、１０２…制御部、１０４…アンテナ、１０８…チューナ、１１０…ＲＦ部、１１１…ＯＦＤＭ復調部、１１２、１１３…スピーカ、１１４…メモリ、１１５…ＲＯＭ、１１６…外部接続端子、１１８…リモコン受光部、１２０…バッテリ、１２１…圧縮情報復号部、１２２…音声制御部、１２３…映像制御部、１２４…検出部
【図１】
2011130060.tif 000003
【図２】
2011130060.tif 000004
【図３】
2011130060.tif 000005
【図４】
2011130060.tif 000006
【図５】
2011130060.tif 000007